(57)【要約】    【課題】  被検者ごとに検体を採取でき、採取の済んだ検体管を被検者ごとに保管できるようにした検体採取ボックスを提供する。    【解決手段】  検体採取ボックスを立体姿勢にて検体採取用具及び検体管が収納しえる構造とし、平坦姿勢にて積層性及び携帯性を付与する。検体採取ボックスはボックス本体１０、主蓋部１１、副蓋部１２、スタンド部１３及びロック部１４から折曲げ可能とし、ボックス本体は平坦な姿勢に畳むことができ、立体姿勢すると、上面が開口された矩形函状をなすように構成する一方、スタンド部には検体管の差込み穴を形成し、ボックス本体の平坦姿勢において副蓋部と連続した姿勢となし、副蓋部から切り離され、立体姿勢に折り曲げられるようにする。【選択図】  図１
2018081014.tif 000002
【特許請求の範囲】
【請求項１】
立体姿勢にて検体採取用具及び検体管が収納しえる一方、平坦姿勢にて積層性及び携帯性が付与された検体採取ボックスであって、
側面（１０Ａ）の下縁から複数の底面構成片部（１０Ｂ）が折曲げ線（１０Ｃ）を介して延び、上記側面（１０Ａ）が折曲げ線（１０Ｄ、１０Ｅ、１０Ｆ、１０Ｇ）を介して平坦姿勢に畳み得る一方、立体姿勢において上面が開口された矩形函状をなし、上記複数の底面構成片部（１０Ｂ）が折曲げ線（１０Ｃ）によって折り曲げられた状態において相互に連携されることによって底面が構成されるボックス本体（１０）と、
該ボックス本体（１０）の背面上縁から折曲げ線（１１Ａ）を介して延び、立体姿勢の上記ボックス本体（１０）の開口全面を覆い得る主蓋部（１１）と、
上記ボックス本体（１０）の左右両側面の上縁から延び、立体姿勢の上記ボックス本体（１０）内方への折曲げ姿勢にて上記主蓋部（１１）を受けて支える左右の副蓋部（１２）と、
該左右の副蓋部（１２）のいずれか一方の上縁から延び、上面構成部分（１３Ａ）、２つの側面構成部分（１３Ｊ）、底面構成部分（１３Ｈ）及び接着片部（１３Ｇ）が相互に平行な折曲げ線（１３Ｃ、１３Ｄ、１３Ｅ、１３Ｆ）を介して構成され、上面構成部分（１３Ａ）に検体管を差込み得る穴（１３Ｂ）を有する一方、接着片部（１３Ｇ）は底面構成部分（１３Ｈ）に接着され、上記上面構成部分（１３Ａ）と側面構成部分（１３Ｊ）の間に差込み溝（１３Ｋ）が形成されており、上記ボックス本体（１０）の平坦姿勢において上記左右の副蓋部（１２）の一方と連続した姿勢をなし、上記副蓋部（１２）から切り離され、上記折曲げ線（１３Ｃ、１３Ｄ、１３Ｅ、１３Ｆ）によって立体姿勢に折り曲げられるスタンド部（１３）と、
該スタンド部（１３）の接着片部（１３Ｇ）の外縁から延び、切起し片（１４Ａ）の上記差込み溝（１３Ｋ）への差し込み状態において上記スタンド部（１３）を立体姿勢に保持するロック片部（１４）と、を備えたことを特徴とする検体採取ボックス。
【請求項２】
上記ボックス本体（１０）、主蓋部（１１）、副蓋部（１２）、スタンド部（１３）及びロック片部（１４）は段ボール紙の打抜き素形材によって構成されている請求項１記載の検体採取ボックス。
【発明の詳細な説明】
【技術分野】
【０００１】
この発明は検体採取ボックスに関し、特に採血管などの検体管のスタンドを組み込むとともに、検体採取用具及び検体管を収納し得るようにしたボックスに関する。
【背景技術】
【０００２】
血清生化学検査や血球検査などの血液検査が広く普及しており、病気予防や病気の早期発見に役立っている。血液を採取する場合、採血針を静脈に穿刺し、採血管に血液を採取するが、検査の種類によって２〜３本の採血管に採血する必要があることから、採血済みの採血管はスタンドに立てることが行われる（特許文献１、特許文献２）。
【先行技術文献】
【特許文献】
【０００３】
【特許文献１】特開２００９−５５９４６号公報
【特許文献２】実開平０３−６４６５２号公報
【発明の開示】
【発明が解決しようとする課題】
【０００４】
ところで、診察室などでは採血針や複数の採血管は比較的被検者ごとに管理することができるが、看護士が病室を廻りながら複数の被検者から採血をする場合には採血した採血管を他の被検者のものと間違わぬようにする必要があって、心理的な負担が大きい。
【０００５】
本発明はかかる状況においてなされたもので、被検者ごとに検体を採取でき、採取の済んだ検体管を被検者ごとに保管できるようにした検体採取ボックスを提供することを課題とする。
【課題を解決するための手段】
【０００６】
そこで、本発明に係る検体採取ボックスは、立体姿勢にて検体採取用具及び検体管が収納しえる一方、平坦姿勢にて積層性及び携帯性が付与された検体採取ボックスであって、側面の下縁から複数の底面構成片部が折曲げ線を介して延び、該側面が折曲げ線を介して平坦姿勢に畳み得る一方、立体姿勢において上面が開口された函状をなし、上記複数の底面構成片部が折曲げ線によって折り曲げられた状態において相互に連携されることによって底面が構成されるボックス本体と、該ボックス本体の背面上縁から折曲げ線を介して延び、上記ボックス本体の開口全面を覆い得る主蓋部と、上記ボックス本体の左右両側面の上縁から延び、上記ボックス本体内方への折曲げ姿勢にて上記主蓋部を受けて支える左右の副蓋部と、該左右の副蓋部のいずれか一方の上縁から延び、相互に平行な四本の折曲げ線を介して上面構成部分、２つの側面構成部分、底面構成部分及び接着片部が構成され、上面構成部分に検体管を差込み得る穴を有する一方、上記接着片部が底面構成部分に接着され、上記上面構成部分と側面構成部分の間に差込み溝が形成されており、上記ボックス本体の平坦姿勢において上記左右の副蓋部の一方と連続した姿勢をなし、上記副蓋部から切り離され、上記折曲げ線によって立体姿勢に折り曲げられ得るスタンド部と、該スタンド部の接着片部の外縁から延び、切起し片の上記差込み溝への差し込み状態において上記スタンド部を立体姿勢に保持するロック片部と、を備えたことを特徴とする。
【０００７】
本発明の特徴の１つは検体採取ボックスにスタンド部を一体的に形成し、立体姿勢の検体採取ボックスに検体採取用具及び検体管を収納しえるようになす一方、検体採取ボックスを平坦姿勢にすることによって積層性及び携帯性を付与するようにした点にある。
【０００８】
これにより、検体採取ボックスを平坦な姿勢にすることによって、検体採取ボックス自体を積層することができるとともに、容易に携帯することができる。
また、検体採取ボックスを立体姿勢にすることによって、検体採取用具及び検体管を収納することができ、スタンド部を切り取って立体にすることによって、検体を採取した検体管を立てて保管することができる。
【０００９】
その結果、被検者ごとに検体を採取でき、採取済みの検体管を被検者ごとに保管でき、複数の被検者から検体を採取する場合にも検体を他の被検者の検体と間違えることはなく、検体採取の信頼性を向上できる。
【００１０】
本発明の第２の特徴は主蓋部及び左右の副蓋部をボックス本体と一体的に形成し、スタンド部及びロック片部を左右いずれか一方の副蓋部に一体的に形成するようにした点にある。
【００１１】
これにより、検体採取ボックスを積層して保管している時、携帯している時にスタンド部及びロック片部を見失うことがなく、検体管のスタンドを別体に製作する場合に比較して製品ボックスの信頼性が高い。
【００１２】
また、主蓋部及び左右の副蓋部をボックス本体と一体的に形成し、スタンド部及びロック片部を左右いずれか一方の副蓋部に一体的に形成することができるので、例えば段ボール紙からの打ち抜きによって安価にかつ容易に製造できる。
【００１３】
すなわち、本発明によれば、ボックス本体、主蓋部、副蓋部、スタンド部及びロック片部は段ボール紙の打抜き素形材によって構成されることができる。
【図面の簡単な説明】
【００１４】
【図１】本発明に係る検体採取ボックスの好ましい実施形態の立体姿勢を示す概略斜視図である。
【図２】段ボール紙から打ち抜いた上記実施形態の素形材を示す平面図である。
【発明を実施するための形態】
【００１５】
以下、本発明を図面に示す具体例に基づいて詳細に説明する。図１及び図２は本発明に係る検体採取ボックスの好ましい実施形態を示す。図において、検体採取ボックスはボックス本体１０、主縁部１１、左右の副蓋部１２、スタンド部１３及びロック片部１４から構成されている。
【００１６】
ボックス本体１０は側面１０Ａ及び４つの底面構成片部１０Ｂから構成され、側面１０Ａは折曲げ線１０Ｄ、１０Ｅ、１０Ｆを介して平坦姿勢に畳み得るように構成され、側面１０Ａの一方の側縁には折曲げ線１０Ｇによって接着片部１０Ｈが形成され、接着片部１０Ｈは側面１０Ａの他方の側部に接着されることによってボックス本体１０は矩形立体姿勢にできるようになっている。
【００１７】
また、側面１０Ａの下縁には４つの底面構成片部１０Ｂが折曲げ線１０Ｃを介して折り曲げ可能に延設され、４つの底面構成片部１０Ｂが折曲げ線１０Ｃによって折り曲げられ、相互に連携されることによって、ボックス本体１０の底面が構成されるようになっている。
【００１８】
ボックス本体１０の背面上縁には主蓋部１１が折曲げ線１１Ａを介して延設され、主縁部１１の外縁には折曲げ片１１Ｂが折曲げ線１１Ｃを介して延設され、主蓋部１１は立体姿勢のボックス本体１０の開口全面を覆い得る大きさに形成されている。
【００１９】
さらに、ボックス本体１０の左右両側面の上縁には副蓋部１２が折曲げ線１２Ａを介して延設され、副蓋部１２は立体姿勢のボックス本体１０の内方に向けて折曲げられ、この折曲げ姿勢においてボックス本体１０の開口を覆う主蓋部１１を受けて支えるようになっている。
【００２０】
左右の副蓋部１２の一方の上縁にはスタンド部１３がミシン目１３Ｌを介して延設され、スタンド部１３は上面構成部分１３Ａ、２つの側面構成部分１３Ｊ、底面構成部分１３Ｈ及び接着片部１３Ｇから構成され、上面構成部分１３Ａ、２つの側面構成部分１３Ｊ、底面構成部分１３Ｈ及び接着片部１３Ｇは相互に平行な折曲げ線１３Ｃ、１３Ｄ、１３Ｅを介して構成され、接着片部１３Ｇは折り曲げられて底面構成部分１３Ｇの外縁側に接着され、上面構成部分１３Ａに検体管を差込み得る複数の穴１３Ｂが形成され、又上面構成部分１３Ａと側面構成部分１３Ｊの間には差込み溝１３Ｋが形成されている。
【００２１】
また、スタンド部１３はボックス本体１０を平坦な姿勢にしたときに左右の副蓋部１２の一方と連続した姿勢をなし、ミシン目１３Ｌによって副蓋部１２から切り離すことができるようになっている。
【００２２】
スタンド部１３の接着片部１３Ｇの外縁にはロック片部１４が折曲げ線１４Ｂを介して延設され、該ロック片部１４には切起し片１４Ａが形成され、切起し片１４Ａは切り起こされて差込み溝１３Ｋに差し込まれ、この差込み状態においてスタンド部１３を立体姿勢に保持するようになている。
【００２３】
検体採取ボックスは図２に示される素形材を段ボール紙から打ち抜く。同時に、必要な折曲げ線をハーフカットや罫線加工によって形成する。また、スタンド部１３と副蓋部１２との間にはミシン目１３Ｌを形成する。
【００２４】
こうして素形材ができると、ボックス本体１０の接着片部１０Ｈを側面１０Ａの他端部に接着し、スタンド部１３の側面構成部分１３Ｊと上面構成部分１３Ａの間の折曲げ線１３Ｅで折り曲げ、接着片部１３Ｇを底面構成部分１３Ｈに接着する。
【００２５】
この状態では検体採取ボックスは平坦な姿勢となっており、積み重ねても嵩張らず、容易に携帯することができる。
【００２６】
使用に当たっては図１に示されるように、ボックス本体１０の側面１０Ａを折曲げ線１０Ｄ、１０Ｅ、１０Ｆで折り曲げて矩形函状の立体姿勢にし、ボックス本体１０内に検体採取用具及び検体管、例えば採血用具や採血管を収納することができるので、副蓋部１２及び主蓋部１１を折り曲げてボックス本体１０の開口を閉じれば安全に持ち運ぶことができる。
【００２７】
検体の採取に当たってはスタンド部１３をミシン目１３Ｌで切り離し、側面矩形の立体姿勢に展開し、ロック片部１４を差込み溝１３Ｋに差し込むと、立体姿勢のスタンドができるので、検体採取用具及び検体管、例えば採血用具や採血管を使用して検体を採取して検体管に入れ、この検体管をスタンド部１３の穴１３Ｂに差せば検体管を立てて安定に保管することができる。
【符号の説明】
【００２８】
１０      ボックス本体
１１      主蓋部
１２      副蓋部
１３      スタンド部
１４      ロック片部
【図１】
2018081014.tif 000003
【図２】
2018081014.tif 000004